(57)【要約】【課題】長時間荷物や子供を背負ったり抱えたりすると疲労する。特に登山においては唯でさえ疲労が激しいのに重い荷物を背負い目的地まで耐えなくてはいけないので、集中力が無くなり怪我をしたり汗をかき過ぎて熱中症になりかねない。【解決手段】背負ったり抱えたりする荷物や子供の下向きの重力を背骨を押す方向に変えその力で上体を起こし続ける筋力を補助するものを考案した。また、荷物を背中上部と両肩と両脇に密着固定することで、背骨を押す力のロスを減少し荷物が重心より上部の身体の近くに位置するので軽く感じる。【選択図】図１
2020137985.tif 000002
【特許請求の範囲】
【請求項１】
荷物や子供を背負ったり抱えたりするときに背骨を押して背骨を起こし、またその状態を維持するもの。
【発明の詳細な説明】
【技術分野】
【０００１】本発明は外出時に背負うリュックサックに関するものである。
登山や旅行等の重い荷物を収納したときに、そのリュックサックの下向きの重力を横向きの力に変えて背骨を押すことで、立っている動作を補助するリュックサックです。
【背景技術】
【０００２】重いリュックサックを背負っての移動は体力を消耗し苦痛ですし、暑い時期だと熱中症の一因にもなりかねません。
【発明の概要】
【発明が解決しようとする課題】
【０００３】従来のリュックサックはその重量をただ背負うだけなので、それを背負って立つ場合に必要な筋力は、立っている状態を維持する為の筋力とリュックサックの重量を背負う筋力を合わせた筋力が必要になります。
【課題を解決するための手段】
【０００４】上記課題を解決するため、背負うリュックサックの下向きの重力を背中を押す方向に変え背骨を押して背骨を起こし、またその状態を維持する為の筋肉も補助する。
【発明の効果】
【０００５】リュックサックを背負って立っている状態を維持する為の筋力をリュックサックの重量で背骨を押して補助した分だけ楽になる。
【図面の簡単な説明】
【０００６】
【図１】リュックサックを上から見た図
【図２】リュックサックの荷物を入れる部分を省略して背中を押す装置を示した図
【図３】背中を押す装置の図
【図４】図３を左側から示した図
【発明を実施するための形態】
【０００７】以下、本発明の実施の形態を図面に基づいて説明する。
【０００８】荷物を入れたリュックサックの袋部を５と６に取付けることにより、その重さで５と６が下がります。下がる力で歯車により７が回転して１が背骨を押す方向に移動します。
【産業上の利用可能性】
【０００９】本発明は背中側よりも腹側に抱えるのに適していると考えています。
なので、子供を抱きかかえるときの「抱っこ紐」に使えます。【００１０】抱っこ紐の抱っこする部分を袋状にすればバッグや買い物入れにも使えます。【００１１】農作物、特に果物を高いところで収穫するときに溜めておく袋にも使えます。
【符号の説明】
【００１２】１  背骨を押す棒状のもの
２  ショルダーハーネス
３  背中を押す効率をよくする為にリュックサックと胸部を強く固定するもの
４  袋部
５  袋部の右側を固定するところ
６  袋部の左側を固定するところ
７  ５と６からの力を１に伝えるための歯車
【図１】
2020137985.tif 000003
【図２】
2020137985.tif 000004
【図３】
2020137985.tif 000005
【図４】
2020137985.tif 000006
【手続補正書】
【提出日】令和2年5月22日(2020.5.22)
【手続補正１】
【補正対象書類名】明細書
【補正対象項目名】全文
【補正方法】変更
【補正の内容】
【発明の詳細な説明】
【技術分野】
【０００１】本発明は外出時に背負うリュックサックに関するものである。
登山や旅行等の重い荷物を収納したときに、そのリュックサックの下向きの重力を横向きの力に変えて背骨を押すことで、上体を起こす状態を補助するリュックサックである。【０００２】  リュックサックを背負うのに必要なショルダーベルトの形状を背中上部と両肩と両脇に密着して固定する物に変えることで、背中を押す力のロスが減少し、背負った人の重心より荷物の位置が高く身体の近くになり重さを軽く感じる様になる。
【背景技術】
【０００３】ショルダーベルトが付いたものにリュックサックやランドセル等がある。
【発明の概要】
【発明が解決しようとする課題】
【０００４】従来のリュックサックはその重量をただ背負うだけなので、それを背負って立つ場合の上体を起こし続けるのに必要な筋力は、リュックサック無しの上体を起こす状態を維持する為の筋力とリュックサックの重量を背負った分の上体を起こし続ける筋力を合わせた筋力が必要である。【０００５】既存のショルダーベルトの形状では、リュックサックの重い荷物を収納して重心より高い背中上部に身体に密着させて固定するのは難しい。
【課題を解決するための手段】
【０００６】上記課題を解決するため、背負うリュックサックの下向きの重力を背中を押す方向に変える物を考案した。背負うリュックサックの下向きの重力を背中を押す方向に変えることが背骨を押して背骨を起こす筋力を補助することになる。
また、背骨を押す力のロスの減少と荷物を重く感じない様に、既存のショルダーベルトの形状ではなく背中上部と両肩と両脇に密着させて荷物を背中上部に固定する。
【発明の効果】
【０００７】リュックサックを背負う状態を維持する為の筋力をリュックサックの重量で背骨を押して補助する分だけ楽になる。
リュックサックを背負う人の重心より高く、身体の近くの位置に荷物を固定出来るので軽く感じる。
【図面の簡単な説明】
【０００８】
【図１】リュックサックを背負った状態を左手側から見た図
【図２】下向きの力を背中を押す方向に変える物の図
【発明を実施するための形態】
【０００９】以下、本発明の実施の形態を図面に基づいて説明する。
【００１０】図１の３に荷物を入れ図１の５を背中上部と両肩と両脇にマジックテープやＳＲバックルで密着させて固定し背負い、図２の７が押すと背骨が立つ場所に当たる様に調整する。
【産業上の利用可能性】
【００１１】本発明は背中側よりも腹側に抱えるのに適していると考える。
なので、子供を抱きかかえるときの「抱っこ紐」に使える。【００１２】抱っこ紐の抱っこする部分を袋状にすればバッグや買い物入れにも使える。【００１３】農作物、特に果物を高いところで収穫するときに溜めておく袋にも使える。【００１４】背中上部に固定出来るので日除けや傘を取付けられる。暑い時期だと小型扇風機を取付けて使用出来る。固定する為に密着させる背中上部や両肩や両脇をペルチェ素子などの冷やせる物にすると尚良い。
【符号の説明】
【００１５】  １  胸
２  背中
３  リュックサックの袋部
図２の６に効率よく重さが伝わる様に底を軽くて硬い物にする。
図１の４の両側に収納袋を設けて容量を増やせる。
図１の１側に小型の収納袋を設けてスマートフォンや飲み物などの荷物の一部を入      れれば、いくらかの前後の重量バランスがとれるし使い易くなる。
４  下向きの力を背中を押す方向に変える物
５  リュックサックを固定する物
胸部や肩で重ねてマジックテープでくっつけて留め、更にＳＲバックルで留める。
６  背負う物の重さを受ける部分
背中に近いところに重い物があった場合、身体に近いので軽く感じる。
背中に遠いところに重い物があった場合、図２の７に伝わる力が大なので軽く感じ      る。
７  背骨を押す部分
長時間接触しても背中が痛くならない様に材質の検討が必要。
８  強度を増す為の物
荷物の重さで折れない様にするための物。
９  支点
この部分に軸になる棒を通し、その棒を固定する。
１０  腹側で抱える時に紐やベルトを通す部分
胸や腹側に荷物や子供を抱くときに紐やベルトを通してその重量を伝える為の穴。
【手続補正２】
【補正対象書類名】特許請求の範囲
【補正対象項目名】全文
【補正方法】変更
【補正の内容】
【特許請求の範囲】
【請求項１】
荷物や子供を背負ったり抱えたりするときに背骨を押す力をつくり、その力で背骨を起こす筋力を補助するものである。
【請求項２】
背中上部と両肩と両脇に密着させることで、荷物を重心より上部の身体の近くに背負い固定するものである。
【手続補正３】
【補正対象書類名】図面
【補正対象項目名】全図
【補正方法】変更
【補正の内容】
【図１】
2020137985.tif 000007
【図２】
2020137985.tif 000008